【手続補正書】
【提出日】平成16年3月12日(2004.3.12)
【手続補正１】
【補正対象書類名】特許請求の範囲
【補正対象項目名】全文
【補正方法】変更
【補正の内容】
【特許請求の範囲】
【請求項１】
追跡素子を割り当てる方法であって、
ダイバーシティ基準にしたがって、潜在的な割り当てのリストを分類することと、
複数の追跡素子の中から選択された１つの追跡素子の、潜在的な割り当ての１つへの現在の割り当てを変更することとが含まれる方法。
【請求項２】
エネルギーの測定値にしたがって、潜在的な割り当てのリストを分類することがさらに含まれる請求項1記載の追跡素子を割り当てる方法。
【請求項３】
エネルギーの測定値にしたがうリストの分類が、ダイバーシティ基準にしたがってリストを分類する前に行なわれる請求項２記載の追跡素子を割り当てる方法。
【請求項４】
ダイバーシティ基準にしたがう潜在的な割り当てのリストの前記分類には、所定の整数ｎにおいて、リスト上のｎ個の連続の潜在的な割り当ての各々が、異なる源に対応するような、リストの分類が含まれる請求項１記載の追跡素子を割り当てる方法。
【請求項５】
ダイバーシティ基準にしたがう潜在的な割り当てのリストの前記分類には、所定の整数ｎにおいて、リスト上の最初からｎ個の連続の潜在的な割り当ての各々が、異なる源に対応するような、リストの分類が含まれる請求項１記載の追跡素子を割り当てる方法。
【請求項６】
潜在的な割り当てのリストには、受信信号インスタンスのリストが含まれ、リストの各エントリには、対応する受信信号インスタンスの信号強度および時間ずれが含まれる請求項１記載の追跡素子を割り当てる方法。
【請求項７】
追跡素子を割り当てる方法には、
潜在的な割り当てのリストを収集することと、
ダイバーシティ基準にしたがって、潜在的な割り当てのリストを分類することと、
潜在的な割り当ての分類されたリストにしたがって、1組の追跡素子の中の少なくとも1つの現在の割り当てを変更することとが含まれる方法。
【請求項８】
ダイバーシティ基準にしたがう潜在的な割り当てのリストの前記分類には、所定の整数ｎにおいて、リスト上のｎ個の連続の潜在的な割り当ての各々が、異なる源に対応するような、リストの分類が含まれる請求項７記載の追跡素子を割り当てる方法。
【請求項９】
ダイバーシティ基準にしたがう潜在的な割り当てのリストの前記分類には、所定の整数ｎにおいて、リスト上の最初からｎ個の連続の潜在的な割り当てが、異なる源に対応するような、リストの分類が含まれる請求項７記載の追跡素子を割り当てる方法。
【請求項１０】
エネルギーの測定値にしたがって潜在的な割り当てのリストを分類することがさらに含まれ、
ダイバーシティ基準にしたがう前記分類、およびエネルギーの測定値にしたがう前記分類の後に、潜在的な割り当ての分類されたリストの少なくとも一部分の順序が、ダイバーシティ基準にしたがってバイアスをかけられる請求項７記載の方法。
【請求項１１】
少なくとも１つの追跡素子を、割り当てに使用可能であるとして表示することがさらに含まれる請求項７記載の追跡素子を割り当てる方法。
【請求項１２】
潜在的な割り当てのリストの少なくとも１つのサブセットを、追跡素子の組の現在の割り当てに整合させることがさらに含まれる請求項７記載の追跡素子を割り当てる方法。
【請求項１３】
前記整合には、追跡素子の現在の割り当ての強度が所定の閾値を越えていないと判断することと、追跡素子を、割り当てに使用可能であると表示することとが含まれる請求項１２記載の追跡素子を割り当てる方法。
【請求項１４】
追跡素子が、ロック状態のときに、復調されたシンボルを出力し、
前記整合には、少なくとも１つの追跡素子を、ロック状態のときに、割り当てに使用可能であると表示することが含まれる請求項１２記載の追跡素子を割り当てる方法。
【請求項１５】
追跡素子がロック状態であるかどうかを判断することがさらに含まれ、
前記整合には、少なくとも１つの追跡素子を、ロック状態であるときに、割り当てに使用可能であると表示することが含まれる請求項１２記載の追跡素子を割り当てる方法。
【請求項１６】
追跡素子がロック状態であるかどうかの前記判断が、追跡素子の現在の割り当ての信号強度に基づいている請求項１５記載の追跡素子を割り当てる方法。
【請求項１７】
潜在的な割り当てのリストには、受信信号インスタンスのリストが含まれ、リストの各エントリには、対応する受信信号インスタンスの信号強度および時間ずれが含まれる請求項７記載の追跡素子を割り当てる方法。
【請求項１８】
現在の割り当ての前記変更には、現在の割り当てがダイバーシティ閾値を満たすことが含まれる請求項７記載の方法。
【請求項１９】
現在の割り当ての前記変更には、追跡素子の現在の割り当てを、カバーされたセルから、それまではカバーされていなかったセルへ変えることが含まれる請求項７記載の追跡素子を割り当てる方法。
【請求項２０】
移動局の追跡段であって、
入力信号を受信し、かつ入力信号内の信号インスタンスに対応する潜在的な割り当てのリストを収集するように構成および配置されているサーチャ素子と、
入力信号を受信するように構成および配置されている複数の追跡素子と、
ダイバーシティの基準にしたがって潜在的な割り当てのリストを分類するように構成および配置されている制御装置とが構成されていて、
追跡素子の少なくともいくつかが、入力信号内の信号インスタンスに対応する現在の割り当てを有し、
制御装置が、潜在的な割り当ての分類されたリストにしたがって、現在の割り当ての少なくとも１つを変更するようにさらに構成および配置されている追跡段。
【請求項２１】
追跡素子の各々が、ロック状態のときに、割り当てられた信号インスタンスの復調されたシンボルを出力するようにさらに構成および配置されていて、
制御装置が、少なくとも１つの追跡素子を、ロック状態のときに、割り当てに使用可能であると表示するようにさらに構成および配置されている請求項２０記載の追跡段。
【請求項２２】
前記制御装置が、潜在的な割り当てのリストの少なくとも１つのサブセットを、追跡素子の現在の割り当てに整合させるようにさらに構成および配置されている請求項２０記載の追跡段。
【請求項２３】
前記制御装置が、ダイバーシティ基準にしたがって潜在的な割り当てのリストを分類するように構成および配置されていて、所定の整数ｎにおいて、分類されたリスト上の最初からｎ個の潜在的な割り当ての各々が、異なる源に対応する請求項２０記載の追跡段。
【請求項２４】
前記制御装置が、現在の割り当てがダイバーシティ閾値を満たすかどうかを判断するようにさらに構成および配置されている請求項２０記載の追跡段。
【請求項２５】
前記制御装置が、追跡素子の現在の割り当てを、カバーされているセルから、それまではカバーされていなかったセルへ変えることによって、現在の割り当ての少なくとも１つを変更するように構成および配置されている請求項２０記載の追跡段。
【請求項２６】
機械読出し可能符号を有するデータ記憶媒体であって、機械読出し可能符号が、論理素子の配列によって実行可能な命令を含み、前記命令が、追跡素子を割り当てる方法を定め、前記方法には、
潜在的な割り当てのリストを収集することと、
ダイバーシティ基準にしたがって、潜在的な割り当てのリストを分類することと、
潜在的な割り当ての分類されたリストにしたがって、1組の追跡素子の中の少なくとも1つの現在の割り当てを変更することとが含まれるデータ記憶媒体。
【請求項２７】
ダイバーシティ基準にしたがう潜在的な割り当てのリストの前記分類には、所定の整数ｎにおいて、リスト上の最初からｎ個の潜在的な割り当てが異なる源に対応するように、リストを分類することが含まれる請求項２６記載のデータ記憶媒体。
【請求項２８】
潜在的な割り当てのリストの少なくとも１つのサブセットを、追跡素子の組の現在の割り当てに整合させることがさらに含まれていて、
追跡素子が、ロック状態のときに、復調されたシンボルを出力し、
前記整合が、少なくとも１つの追跡素子を、ロック状態のときに、割り当てに使用可能であると表示することを含む請求項２６記載のデータ記憶媒体。
【請求項２９】
追跡素子が、ロック状態であるかどうかの前記判断が、追跡素子の現在の割り当ての信号強度に基づいている請求項２８記載のデータ記憶媒体。